(57)【要約】      （修正有）【課題】ゴルフボールがゴルフクラブのフェースからあらぬ方向に跳ね飛ぶことを回避し、連続的なリフティングの練習を行なうことができるリフティング練習器を提供する。【解決手段】リフティング練習器は、吊り下げ紐２０にて吊り下げられたゴルフボール３０を、ゴルフクラブ１のフェース２で繰り返し打ち上げ可能にするものであって、吊り下げ紐の少なくとも一部が弾性体２１からなり、ゴルフボールは貫通孔を有し、貫通孔は、一端側でボール表面のディンプルと概ね同一径をもって穿設されている止まり孔と、基端側で止まり孔より小径に穿設されている通し孔とからなり、吊り下げ紐が通し孔に挿通され、吊り下げ紐の挿通端に設けた太径部が止まり孔に係止され、吊り下げ紐は、吊り下げ台１０に設けた吊り部１３に対して自由に回転できるねじれ解消輪に吊り下げられている。【選択図】図１
0003222424.tif 000002
【実用新案登録請求の範囲】
【請求項１】
吊り下げ紐にて吊り下げられたゴルフボールを、ゴルフクラブのフェースで繰り返し打ち上げ可能にするゴルフボールのリフティング練習器。
【請求項２】
前記吊り下げ紐の長さ方向の少なくとも一部が弾性体からなる請求項１に記載のゴルフボールのリフティング練習器。
【請求項３】
前記ゴルフボールが該ボールを貫通する貫通孔を有し、
該貫通孔が、一端側で該ボールの表面のディンプルと概ね同一径をもって穿設されている止まり孔と、基端側で該止まり孔より小径をもって穿設されている通し孔とからなり、
吊り下げ紐が通し孔に挿通され、その吊り下げ紐の挿通端に設けた太径部が止まり孔に係止されてなる請求項１又は２に記載のゴルフボールのリフティング練習器。
【請求項４】
前記吊り下げ紐が、吊り下げ台に設けた吊り部に対して自由に回転できるねじれ解消輪に吊り下げられてなる請求項１乃至３のいずれかに記載のゴルフボールのリフティング練習器。
【考案の詳細な説明】
【技術分野】
【０００１】  本考案は、ゴルフボールのリフティング練習器に関する。
【背景技術】
【０００２】  ゴルフボールのリフティングの練習は、ゴルフクラブを正確に操作してフェース（クラブヘッドのフェース）の芯にゴルフボールを捕える技術、換言すればクラブコントロールの向上になる。【０００３】  プロゴルファーは、クラブコントロールを理解しているので、リフティングの練習がスムーズにできる。【０００４】  他方、アマチュアゴルファーの多くは、クラブコントロールが未熟なために、リフティングの練習がスムーズにできず、１度目のリフティングを何とかできても、２度目のリフティングでゴルフボールがあらぬ方向に跳ねて飛び、リフティングを連続して行なうことができない。【０００５】  尚、特許文献１に記載のゴルフボールのリフティング練習器は、ゴルフクラブのフェースを囲むクラブヘッドの外周エッジにゴルフボールこぼれ防止用囲い体を設け、リフティングの練習中にゴルフボールがフェースの面内からこぼれ落ちるのを制止可能にしている。
【先行技術文献】
【特許文献】
【０００６】
【特許文献１】特開平１１−１６４９２０号公報
【考案の概要】
【考案が解決しようとする課題】
【０００７】  ゴルフボールのリフティングでは、ゴルフクラブのフェースの面の水平度や動く方向を正確にコントロールできず、ゴルフボールがあらぬ方向に跳ねてしまい、リフティングを連続して行なうことができ難い。【０００８】  また、リフティング中のゴルフボールは重力の作用により早い落下速度をもって上下動するため、そのようなゴルフボールの落下速度に合わせた早い周期でゴルフクラブをコントロールすることに困難がある。従って、ゴルフボールをゴルフクラブのフェースに当てて連続的にリフティングしようとするとき、ゴルフクラブのフェースの面を水平に保って、該フェースの芯にゴルフボールを当て、該ゴルフボールを軽快に該フェースの面の真上の一定高さまで打ち上げることを繰り返すことができず、練習そのものをあきらめてしまう人が多い。【０００９】  また、ゴルフボールは硬く、室内等であらぬ方向に跳ねて遠くに飛んだゴルフボールは、家具のガラス等を破損するおそれもある。【００１０】  尚、特許文献１に記載のリフティング練習器は、ゴルフクラブのフェースの面上におけるボールの制止に関するものであるに過ぎず、該フェース面上から跳ねて飛ぶゴルフボールのコントロールに関するところが一切ない。【００１１】  本考案の課題は、ゴルフボールがゴルフクラブのフェースからあらぬ方向に跳ね飛ぶことを回避し、連続的なリフティングの練習を行なうことに関する。【００１２】  本考案の他の課題は、ゴルフボールの落下速度に及ぶ重力の影響を考慮しつつ、連続的なリフティングの練習を行なうことに関する。
【課題を解決するための手段】
【００１３】  請求項１に係る考案は、吊り下げ紐にて吊り下げられたゴルフボールを、ゴルフクラブのフェースで繰り返し打ち上げ可能にするゴルフボールのリフティング練習器である。【００１４】  請求項２に係る考案は、請求項１に係る考案において更に、前記吊り下げ紐の長さ方向の少なくとも一部が弾性体からなるようにしたものである。【００１５】  請求項３に係る考案は、請求項１又は２に係る考案において更に、前記ゴルフボールが該ボールを貫通する貫通孔を有し、該貫通孔が、一端側で該ボールの表面のディンプルと概ね同一径をもって穿設されている止まり孔と、基端側で該止まり孔より小径をもって穿設されている通し孔とからなり、吊り下げ紐が通し孔に挿通され、その吊り下げ紐の挿通端に設けた太径部が止まり孔に係止されてなるようにしたものである。【００１６】  請求項４に係る考案は、請求項１乃至３のいずれかに係る考案において更に、前記吊り下げ紐が、吊り下げ台に設けた吊り部に対して自由に回転できるねじれ解消輪に吊り下げられてなるようにしたものである。
【考案の効果】
【００１７】  （請求項１）
（ａ）初心者等がゴルフクラブのフェースの面の水平度や動く方向を正確にコントロールできず、ゴルフボールがあらぬ方向に跳ねても、ゴルフボールが吊り下げ紐にて吊り下げられているから、遠くに飛ぶことがなく、連続的なリフティングの練習を安心して継続できる。【００１８】  （請求項２）
（ｂ）吊り下げ紐の長さ方向の少なくとも一部が弾性体からなるものとした。これにより、リフティング練習中に落下するゴルフボールは重力の作用に抗する弾性体の弾発力を受けてその落下速度を減速され、ゆっくりした速度で上下動する。従って、使用者がゴルフクラブのフェースによってゴルフボールを上方へ上げると、ゴルフボールは真上へ打ち上げられ、上死点に達した後に自然落下ではなく、吊り下げ紐の弾性体が伸びるのに応じて生ずる弾発力を受けてゆっくりとした速度で落下し、下死点に達すると伸びていた弾性体が蓄積していた弾発力で上方へ持ち上げられ、プロゴルファーがリフティングを行なうと概ね同等のゴルフボールの上下動が繰り返される。【００１９】  即ち、使用者は、ゴルフボールのゆっくりした落下速度に合わせる、ゆっくりした周期でゴルフクラブのフェースの芯にゴルフボールを当てることを比較的落ち着いて繰り返すことができ、該ゴルフボールを比較的容易にフェースの面の真上の一定高さにまで打ち上げることを繰り返すことができる。これにより、ゴルフクラブの上下動が乱れることのないように、ゴルフボールを良く視て打ち上げるゴルフクラブの操作を安定的に繰り返して身に着け、ゴルフボールをリフティングするためのクラブコントロールを自然に習得できる。【００２０】  また、リフティングのためのクラブコントロールの上達につれ、ゴルフボールに当たって、該ゴルフボールを跳ね上がり開始させるゴルフクラブのフェースの高さ位置を上方に変化させ、ゴルフボールのリフティング開始高さを変えれば、結果としてゴルフボールを打ち上げたときの吊り下げ紐にたるみを与える等によって、重力の作用に抗する弾性体の弾発力をゴルフボールの上死点の側で喪失させ得るものになる。これにより、ゴルフボールは上死点に達した後に自然落下にて落下開始し、やがて吊り下げ紐の弾性体が伸び始めるとその伸びに応じた弾発力を受けてゆっくりした速度で落下してくるものになり、通常のリフティングに近い練習を行なえることになる。【００２１】  （請求項３）
（ｃ）ゴルフボールが該ボールを貫通する貫通孔を有し、該貫通孔が、一端側で該ボールの表面のディンプルと概ね同一径をもって穿設されている止まり孔と、基端側で該止まり孔より小径をもって穿設されている通し孔とからなり、吊り下げ紐が通し孔に挿通され、その吊り下げ紐の挿通端に設けた太径部が止まり孔に係止されてなるものとすることにより、吊り下げ紐に吊り下げられるゴルフボールを簡易に作成できる。【００２２】  （請求項４）
（ｄ）吊り下げ紐が、吊り下げ台に設けた吊り部に対して自由に回転できるねじれ解消輪に吊り下げられてなるものにすることにより、ゴルフクラブのフェースに当たって打ち上げられるボールの回転によって生じ得る該紐のねじれを容易に解消できる。
【図面の簡単な説明】
【００２３】
【図１】  図１は本考案に係るリフティング練習器の第１実施形態を示す斜視図である。
【図２】  図２は図１のゴルフボール及び吊り下げ紐を拡大して示す模式図である。
【図３】  図３は図１のねじれ解消輪を示す模式図である。
【図４】  図４は第１実施形態の変形例を示す模式図である。
【図５】  図５は第１実施形態の使用例を示す模式図である。
【図６】  図６は第２実施形態を示す模式図である。
【考案を実施するための形態】
【００２４】  図１乃至図３に示した第１実施形態に係るリフティング練習器１００は、吊り下げ台１０に後述する如くに設けた吊り部１３に連結された吊り下げ紐２０によってゴルフボール３０を吊り下げる。使用者Ｍは、吊り下げ紐２０にて吊り下げられたゴルフボール３０を、ゴルフクラブ１のフェース２で繰り返し打ち上げることにて、リフティングの練習を行なう。
【００２５】  吊り下げ台１０は、板状体からなり、その上面に例えばグリーンマット１１を設置して構成される。吊り下げ台１０の１つのコーナー部には吊り棒１２の基端部が植設され、吊り棒１２の先端部には円環状吊り具からなる吊り部１３が設けられる。
【００２６】  吊り下げ紐２０は、吊り下げ台１０の側の吊り部１３に着脱可能に連結される連結具４０を上端部に備え、ゴルフボール３０を下端部に連結されて備える。
【００２７】  このとき、ゴルフボール３０は、図２に示す如く、該ボール３０をその直径方向に貫通する貫通孔３１を有する。貫通孔３１は、一端側で該ボール３０の表面のディンプルと概ね同一径をもって穿設されている止まり孔３１Ａと、基端側で該止まり孔３１Ａより小径をもって穿設されている通し孔３１Ｂからなるものとされる。そして、吊り下げ紐２０の下端部が通し孔３１Ｂに挿通され、その吊り下げ紐２０の挿通端に設けたその結び目からなる太径部２０Ａがゴルフボール３０の止まり孔３１Ａに係止されるようになっている。
【００２８】  また、吊り下げ紐２０の上端部に設けた連結具４０は、図２、図３に示す如く、吊り下げ台１０の側の吊り部１３に着脱できる吊り輪４１と、吊り輪４１が備える支軸部４１Ａに回転自在に枢着されるねじれ解消輪４２とからなり、吊り下げ紐２０の上端部がねじれ解消輪４２に結ばれて連結される。これにより、吊り下げ紐２０は、吊り下げ台１０に設けた吊り部１３に対して自由に回転できるねじれ解消輪４２に吊り下げられるものになる。
【００２９】  吊り下げ紐２０は、弾性の少ない樹脂、金属等の線材からなるものとされるとともに、その長さ方向に沿う全長の少なくとも一部をゴム等の弾性体２１により構成することができる。このとき、吊り下げ紐２０は、連結具４０が設けられる上端部の側を上記弾性体２１により構成することが好ましい。
【００３０】  吊り下げ紐２０の少なくとも一部を構成する弾性体２１は、ゴムに限らず、図４に示す如く、コイルスプリングとすることもできる。
吊り下げ紐２０は、その全長の全部を弾性体２１により構成することもできる。
【００３１】  尚、吊り下げ紐２０は、弾性体２１を用いず、その全長の全部を弾性の少ない樹脂、金属等の線材からなるものとすることもできる。
【００３２】  従って、本実施形態によれば、以下の作用効果を奏する。
（ａ）初心者等がゴルフクラブ１のフェース２の面の水平度や動く方向を正確にコントロールできず、ゴルフボール３０があらぬ方向に跳ねても、ゴルフボール３０が図１、図５に示す如くに吊り下げ紐２０にて吊り下げられているから、遠くに飛ぶことがなく、連続的なリフティングの練習を安心して継続できる。
【００３３】  （ｂ）吊り下げ紐２０の長さ方向の少なくとも一部が弾性体２１からなるものとした。これにより、リフティング練習中に落下するゴルフボール３０は重力の作用に抗する弾性体２１の弾発力を受けてその落下速度を減速され、ゆっくりした速度で上下動する。従って、使用者Ｍがゴルフクラブ１のフェース２によってゴルフボール３０を上方へ上げると、ゴルフボール３０は真上へ打ち上げられ、上死点に達した後に自然落下ではなく、吊り下げ紐２０の弾性体２１（ゴム紐）が伸びるのに応じて生ずる弾発力を受けてゆっくりとした速度で落下し、下死点に達すると伸びていた弾性体２１が蓄積していた弾発力で上方へ持ち上げられ、プロゴルファーがリフティングを行なうと概ね同等のゴルフボール３０の上下動が繰り返される。
【００３４】  即ち、使用者Ｍは、ゴルフボール３０のゆっくりした落下速度に合わせる、ゆっくりした周期でゴルフクラブ１のフェース２の芯にゴルフボール３０を当てることを比較的落ち着いて繰り返すことができ、該ゴルフボール３０を比較的容易にフェース２の面の真上の一定高さにまで打ち上げることを繰り返すことができる。これにより、ゴルフクラブ１の上下動が乱れることのないように、ゴルフボール３０を良く視て打ち上げるゴルフクラブ１の操作を安定的に繰り返して身に着け、ゴルフボール３０をリフティングするためのクラブコントロールを自然に習得できる。
【００３５】  また、リフティングのためのクラブコントロールの上達につれ、図５に示す如く、ゴルフボール３０に当たって、該ゴルフボール３０を跳ね上がり開始させるゴルフクラブ１のフェース２の高さ位置を上方に変化させ、ゴルフボール３０のリフティング開始高さを変えれば、結果としてゴルフボール３０を打ち上げたときの吊り下げ紐２０にたるみを与える等によって、重力の作用に抗する弾性体２１の弾発力をボルフボール３０の上死点の側で喪失させ得るものになる。これにより、ゴルフボール３０は上死点に達した後に自然落下にて落下開始し、やがて吊り下げ紐２０の弾性体２１（ゴム紐）が伸び始めるとその伸びに応じた弾発力を受けてゆっくりした速度で落下してくるものになり、通常のリフティングに近い練習を行なえることになる。
【００３６】  尚、吊り下げ紐２０として、弾性体２１を有さずに伸縮の少ない線材のみからなるものを援用する場合には、図６に示す如く、ゴルフクラブ１のフェース２によって上方へ打ち上げられたゴルフボール３０は、真上に上がって上死点に達した後乃至下死点に至るまで、重力の作用だけを受けて自然落下するものになり、通常のリフティングの練習を行なえることになる。
【００３７】  （ｃ）ゴルフボール３０が該ボール３０を貫通する貫通孔３１を有し、該貫通孔３１が、一端側で該ボール３０の表面のディンプルと概ね同一径をもって穿設されている止まり孔３１Ａと、基端側で該止まり孔３１Ａより小径をもって穿設されている通し孔３１Ｂとからなり、吊り下げ紐２０が通し孔３１Ｂに挿通され、その吊り下げ紐２０の挿通端に設けた太径部２０Ａが止まり孔３１Ａに係止されてなるものとすることにより、吊り下げ紐２０に吊り下げられるゴルフボール３０を簡易に作成できる。
【００３８】  （ｄ）吊り下げ紐２０が、吊り下げ台１０に設けた吊り部１３に対して自由に回転できるねじれ解消輪４２に吊り下げられてなるものにすることにより、ゴルフクラブ１のフェース２に当たって打ち上げられるボール３０の回転によって生じ得る該紐のねじれを容易に解消できる。
【００３９】  以上、本考案の実施例を図面により詳述したが、本考案の具体的な構成はこの実施例に限られるものではなく、本考案の要旨を逸脱しない範囲の設計の変更等があっても本考案に含まれる。
【産業上の利用可能性】
【００４０】  ゴルフボールが吊り下げ紐で吊り下げられているから、ゴルフボールがあらぬ方向に跳ね飛んでも、該ボールは吊り下げ紐に連結されていてその吊り下げ位置に戻り、リフティングの練習を続けることができる。【００４１】  また、吊り下げ紐の少なくとも一部が弾性体からなるものとすることにより、ゴルフボールに及ぶ重力の影響を抑制できる。これにより、ゴルフクラブのフェースにゴルフボールを軽く当てて打ち上げれば、ゴルフボールの落下速度をゆっくりとするリフティングモーションを形成させることができ、使用者はそのモーションに合わせて比較的容易にクラブコントロールの練習を行ない、初心者でも簡単にリフティングの練習を行なうことができる。また、ゴルフボールのリフティング開始高さを変えれば、ゴルフボールの落下開始時の速度が早くなり、使用者の進歩に合わせて、リフティングの難易度を上げて練習することができる。更に、吊り下げ紐として弾性体を有しない、伸びの少ない紐にすることで、リフティング時のゴルフボールに重力に抗するように作用する弾性体の弾発力を喪失させ、通常のリフティングと殆ど同等の練習を行なうこともできる。【００４２】  また、吊り下げ紐の吊り部にねじれ解消輪を設けることで、ゴルフクラブのフェースに当たって打ち上げられたボールの回転によって生じ得る該紐のねじれを容易に解消できる。
【符号の説明】
【００４３】１  ゴルフクラブ
２  フェース
３  吊り下げ台
１３  吊り部
２０  吊り下げ紐
２０Ａ  太径部
２１  弾性体
３０  ゴルフボール
３１  貫通孔
３１Ａ  止まり孔
３１Ｂ  通し孔
４０  連結具
４１  吊り輪
４２  ねじれ解消輪
１００  リフティング練習器
【図１】
0003222424.tif 000003
【図２】
0003222424.tif 000004
【図３】
0003222424.tif 000005
【図４】
0003222424.tif 000006
【図５】
0003222424.tif 000007
【図６】
0003222424.tif 000008